(57)【要約】【課題】多層情報記録媒体に記録されるデータの不正アクセスに対する安全性を向上させる。【解決手段】ユーザから復号情報の記録要求があると、第２の秘密鍵が含まれる情報を記録層Ｌ１の第１復号情報領域に記録し（ステップ４０３）、第１の秘密鍵が含まれる情報を記録層Ｌ２の第２復号情報領域に記録する（ステップ４０７）。そして、第２の秘密鍵が第１復号情報領域に記録され、第１の秘密鍵が第２復号情報領域に記録されていることを示す対応情報を記録層Ｌ１の対応情報領域に記録する（ステップ４１１）。【選択図】図５
2007122810.tif 000002
【特許請求の範囲】
【請求項１】
複数の記録層を有する多層情報記録媒体に情報を記録する記録方法であって、
前記複数の記録層にそれぞれ対応し、各記録層に記録されるデータへの不正アクセスを防止するための複数の管理情報をそれぞれ前記多層情報記録媒体の異なる記録層に記録する工程を、含む記録方法。
【請求項２】
前記多層情報記録媒体はディスク状の記録媒体であり、
前記記録する工程では、前記複数の管理情報を、前記多層情報記録媒体の回転中心からの距離が互いに等しい位置にそれぞれ記録することを特徴とする請求項１に記載の記録方法。
【請求項３】
前記多層情報記録媒体はディスク状の記録媒体であり、
前記記録する工程では、前記複数の管理情報を、前記多層情報記録媒体の回転中心からの距離が互いに異なる位置にそれぞれ記録することを特徴とする請求項１に記載の記録方法。
【請求項４】
前記複数の記録層は、第１の記録層と第２の記録層とを含み、
前記記録する工程では、前記第２の記録層に、前記第１の記録層に記録されるデータへの不正アクセスを防止するための第１の管理情報が記録され、前記第１の記録層に、前記第２の記録層に記録されるデータへの不正アクセスを防止するための第２の管理情報が記録されることを特徴とする請求項１〜３のいずれか一項に記載の記録方法。
【請求項５】
前記複数の記録層のうちの少なくとも１つの記録層に記録されるデータは暗号化され、
前記少なくとも１つの記録層に対応する管理情報は、前記暗号化されたデータを復号する際に用いられる復号鍵を含むことを特徴とする請求項１〜４のいずれか一項に記載の記録方法。
【請求項６】
前記少なくとも１つの記録層に記録されるデータは公開鍵暗号方式に基づいて公開鍵により暗号化され、
前記復号鍵は、前記公開鍵に対応する秘密鍵であることを特徴とする請求項５に記載の記録方法。
【請求項７】
前記公開鍵を前記多層情報記録媒体に記録する工程を更に含むことを特徴とする請求項６に記載の記録方法。
【請求項８】
前記複数の管理情報の記録位置に関する情報を、前記複数の記録層のうちのいずれかの記録層に記録する工程を、更に含むことを特徴とする請求項１〜７のいずれか一項に記載の記録方法。
【請求項９】
複数の記録層が積層された多層情報記録媒体において、
前記複数の記録層にそれぞれ対応し、各記録層に記録されるデータへの不正アクセスを防止するための複数の管理情報が、それぞれ異なる記録層に記録されていることを特徴とする多層情報記録媒体。
【請求項１０】
前記多層情報記録媒体はディスク状の記録媒体であり、
前記複数の管理情報は、それぞれ回転中心からの距離が互いに等しい位置に記録されていることを特徴とする請求項９に記載の多層情報記録媒体。
【請求項１１】
前記多層情報記録媒体はディスク状の記録媒体であり、
前記複数の管理情報は、それぞれ回転中心からの距離が互いに異なる位置に記録されていることを特徴とする請求項９に記載の多層情報記録媒体。
【請求項１２】
前記複数の記録層は、第１の記録層と第２の記録層とを含み、
前記第２の記録層には、前記第１の記録層に記録されるデータの不正アクセスを防止するための第１の管理情報が記録され、
前記第１の記録層には、前記第２の記録層に記録されるデータの不正アクセスを防止するための第２の管理情報が記録されていることを特徴とする請求項９〜１１のいずれか一項に記載の多層情報記録媒体。
【請求項１３】
前記複数の記録層のうちの少なくとも１つの記録層に記録されるデータは暗号化され、
前記少なくとも１つの記録層に対応する管理情報は、前記暗号化されたデータを復号する際に用いられる復号鍵を含むことを特徴とする請求項９〜１２のいずれか一項に記載の多層情報記録媒体。
【請求項１４】
前記少なくとも１つの記録層に記録されるデータは公開鍵暗号方式に基づいて公開鍵により暗号化され、
前記復号鍵は、前記公開鍵に対応する秘密鍵であることを特徴とする請求項１３に記載の多層情報記録媒体。
【請求項１５】
前記公開鍵が、前記複数の記録層のうちのいずれかの記録層に更に記録されていることを特徴とする請求項１４に記載の多層情報記録媒体。
【請求項１６】
前記複数の管理情報の記録位置に関する情報が、前記複数の記録層のうちのいずれかの記録層に更に記録されていることを特徴とする請求項９〜１５のいずれか一項に記載の多層情報記録媒体。
【請求項１７】
請求項９〜１６のいずれか一項に記載の多層情報記録媒体に記録されているデータを再生する再生方法であって、
前記多層情報記録媒体に記録されている複数の管理情報のうち、再生対象のデータが記録されている記録層に対応する管理情報を取得する工程と；
前記取得された管理情報に基づいて、前記再生対象のデータを再生する工程と；を含む再生方法。
【請求項１８】
前記管理情報を取得する工程に先立って、前記再生対象のデータが記録されている記録層に対応する管理情報の記録位置に関する情報を取得する工程を、更に含むことを特徴とする請求項１７に記載の再生方法。
【請求項１９】
前記管理情報の記録位置に関する情報を取得する工程では、ネットワークを介して前記管理情報の記録位置に関する情報を取得することを特徴とする請求項１８に記載の再生方法。
【請求項２０】
複数の記録層を有する多層情報記録媒体を対象媒体とする情報記録装置であって、
前記複数の記録層にそれぞれ対応し、各記録層に記録されるデータへの不正アクセスを防止するための複数の管理情報を取得する取得手段と；
前記複数の管理情報をそれぞれ前記多層情報記録媒体の異なる記録層に記録する記録手段と；を備える情報記録装置。
【請求項２１】
請求項９〜１６のいずれか一項に記載の多層情報記録媒体を対象媒体とする情報再生装置であって、
前記多層情報記録媒体に記録されている複数の管理情報のうち、再生対象のデータが記録されている記録層に対応する管理情報を取得する取得手段と；
前記取得された管理情報に基づいて、前記再生対象のデータを再生する再生手段と；を備える情報再生装置。
【請求項２２】
複数の記録層を有する多層情報記録媒体への記録が可能な記録装置と；
前記複数の記録層にそれぞれ対応し、各記録層に記録されるデータへの不正アクセスを防止するための複数の管理情報を、前記記録装置を介してそれぞれ前記多層情報記録媒体の異なる記録層に記録する処理装置と；を備える情報処理装置。
【請求項２３】
請求項９〜１６のいずれか一項に記載の多層情報記録媒体を対象媒体とする再生装置と；
前記再生装置を介して、前記多層情報記録媒体に記録されている複数の管理情報のうち、再生対象のデータが記録されている記録層に対応する管理情報を取得し、該管理情報に基づいて前記再生対象のデータを再生する処理装置と；を備える情報処理装置。
【請求項２４】
複数の記録層を有する多層情報記録媒体を対象媒体とする情報処理装置に用いられるプログラムであって、
前記複数の記録層にそれぞれ対応し、各記録層に記録されるデータへの不正アクセスを防止するための複数の管理情報を取得する手順と；
前記複数の管理情報をそれぞれ前記多層情報記録媒体の異なる記録層に記録する手順と；を前記情報処理装置に実行させるプログラム。
【請求項２５】
請求項９〜１６のいずれか一項に記載の多層情報記録媒体を対象媒体とする情報処理装置に用いられるプログラムであって、
前記多層情報記録媒体に記録されている複数の管理情報のうち、再生対象のデータが記録されている記録層に対応する管理情報を取得する手順と；
前記取得された管理情報に基づいて、前記再生対象のデータを再生する手順と；を前記情報処理装置に実行させるプログラム。
【請求項２６】
請求項２４又は２５に記載のプログラムが記録されたコンピュータ読み取り可能な記録媒体。
【発明の詳細な説明】
【技術分野】
【０００１】
本発明は、記録方法、再生方法、多層情報記録媒体、情報記録装置、情報再生装置、情報処理装置、プログラム及び記録媒体に係り、更に詳しくは、複数の記録層を有する多層情報記録媒体を対象媒体とする記録方法及び情報記録装置、前記記録方法で記録された多層情報記録媒体、該多層情報記録媒体に記録されている情報を再生する再生方法及び情報再生装置、複数の記録層を有する多層情報記録媒体を対象媒体とする情報処理装置、該情報処理装置で用いられるプログラム及び該プログラムが記録された記録媒体に関する。
【背景技術】
【０００２】
近年の情報記録技術と通信技術の発展には目覚しいものがあり、僅か数年の間に急激に、情報記録媒体の記録容量は大容量化し、通信速度は高速化した。特に、当初複製が不可能と思われていた、ＣＤ（compact disc）やＤＶＤ（digital versatile disc）などの交換可能な情報記録媒体である光情報記録媒体は、それぞれＣＤ−Ｒ／ＲＷ、ＤＶＤ＋Ｒ／ＲＷなどの登場によって複製が可能になった。
【０００３】
そこで、テレビ放送や音楽配信によって提供されるコンテンツに関しては、世界的にデジタル記録（録画や録音）を制限する方向に動いており、現在、日本ではＣＰＲＭ（Content Protection for Recordable Media）やMacrovisionなどが使用され、北米ではブロードキャストフラグが計画されている。また、衛星放送によって提供されるコンテンツに関しても、同様にデジタル記録に対して何らかの制限を設ける方向にある。これら制限を設けられたコンテンツをデジタル記録するには、その制限方法に対応した装置及び対応した復号情報が付加された情報記録媒体が必要となる。例えば、ＣＰＲＭに対応したＤＶＤ−ＲＡＭ、ＤＶＤ−Ｒ及びＤＶＤ−ＲＷなどには所定の復号情報が付加されている。
【０００４】
また、コンテンツのデジタル記録を制限する方法としては、ＣＤで話題になったＣＣＣＤ（Copy Control CD）や、ネットワークと連携したスキームの一種であるMacrovision CDSなどが提唱されている。
【０００５】
例えば、特許文献１には、複数の用途で使用されるデジタルデータに各々関連する複数の管理情報が予め記録されているデータ記録媒体が開示されている。また、特許文献２には、暗号化情報が媒体に印刷された光メモリ素子が開示されている。
【０００６】
しかしながら、特許文献１では、コンテンツの用途毎に鍵が設けられ、特許文献２では、媒体全体に対して一つの鍵が設けられている。すなわち、単一の暗号システムが適用されており、一旦暗号が解除されると、記録されているコンテンツ全てが奪われてしまう。
【０００７】
【特許文献１】特開２００５−８５３３６号公報
【特許文献２】特開２００２−３１３０８５号公報
【発明の開示】
【発明が解決しようとする課題】
【０００８】
本発明は、かかる事情の下になされたもので、その第１の目的は、多層情報記録媒体に記録されるデータの不正アクセスに対する安全性を向上させることができる記録方法、情報記録装置及び情報処理装置を提供することにある。
【０００９】
また、本発明の第２の目的は、記録されるデータの不正アクセスに対する安全性を向上させることができる多層情報記録媒体を提供することにある。
【００１０】
また、本発明の第３の目的は、本発明の多層情報記録媒体に記録されているデータを再生する再生方法、情報再生装置及び情報処理装置を提供することにある。
【００１１】
また、本発明の第４の目的は、情報処理装置にて実行され、多層情報記録媒体に記録されるデータの不正アクセスに対する安全性を向上させることができるプログラム及びそのプログラムが記録された記録媒体を提供することにある。
【００１２】
また、本発明の第５の目的は、情報処理装置にて実行され、本発明の多層情報記録媒体に記録されているデータを再生するプログラム及びそのプログラムが記録された記録媒体を提供することにある。
【課題を解決するための手段】
【００１３】
本発明は、第１の観点からすると、複数の記録層を有する多層情報記録媒体に情報を記録する記録方法であって、前記複数の記録層にそれぞれ対応し、各記録層に記録されるデータへの不正アクセスを防止するための複数の管理情報をそれぞれ前記多層情報記録媒体の異なる記録層に記録する工程を、含む記録方法である。
【００１４】
これによれば、複数の記録層にそれぞれ対応し、各記録層に記録されるデータへの不正アクセスを防止するための複数の管理情報が、それぞれ多層情報記録媒体の異なる記録層に記録される。すなわち、記録層毎にデータが不正アクセスからガードされるため、例えば１つの記録層におけるガードが破られたとしても、一部のデータのみが盗まれるだけである。従って、多層情報記録媒体に記録されるデータの不正アクセスに対する安全性を従来よりも向上させることが可能となる。なお、本明細書では、「不正アクセス」は、多層情報記録媒体に記録されるデータの権利者によって許可されていない、データの再生、複製及び使用を含む。
【００１５】
本発明は、第２の観点からすると、複数の記録層が積層された多層情報記録媒体において、前記複数の記録層にそれぞれ対応し、各記録層に記録されるデータへの不正アクセスを防止するための複数の管理情報が、それぞれ異なる記録層に記録されていることを特徴とする多層情報記録媒体である。
【００１６】
これによれば、複数の記録層にそれぞれ対応し、各記録層に記録されるデータへの不正アクセスを防止するための複数の管理情報が、それぞれ異なる記録層に記録されているため、記録されるデータの不正アクセスに対する安全性を従来よりも向上させることが可能となる。
【００１７】
本発明は、第３の観点からすると、本発明の多層情報記録媒体に記録されているデータを再生する再生方法であって、前記多層情報記録媒体に記録されている複数の管理情報のうち、再生対象のデータが記録されている記録層に対応する管理情報を取得する工程と；前記取得された管理情報に基づいて、前記再生対象のデータを再生する工程と；を含む再生方法である。
【００１８】
これによれば、本発明の多層情報記録媒体に記録されている複数の管理情報のうち、再生対象のデータが記録されている記録層に対応する管理情報が取得され、その取得された管理情報に基づいて、再生対象のデータが再生される。この場合に、再生対象のデータが記録されている記録層に対応する管理情報が取得されたときにのみ再生対象のデータを再生させることができる。
【００１９】
本発明は、第４の観点からすると、複数の記録層を有する多層情報記録媒体を対象媒体とする情報記録装置であって、前記複数の記録層にそれぞれ対応し、各記録層に記録されるデータへの不正アクセスを防止するための複数の管理情報を取得する取得手段と；前記複数の管理情報をそれぞれ前記多層情報記録媒体の異なる記録層に記録する記録手段と；を備える情報記録装置である。
【００２０】
これによれば、複数の記録層にそれぞれ対応し、各記録層に記録されるデータへの不正アクセスを記録層毎に防止するための複数の管理情報が取得手段によって取得され、記録手段によって多層情報記録媒体の異なる記録層に記録される。すなわち、記録層毎にデータが不正アクセスからガードされるため、例えば１つの記録層におけるガードが破られたとしても、一部のデータのみが盗まれるだけである。従って、多層情報記録媒体に記録されるデータの不正アクセスに対する安全性を従来よりも向上させることが可能となる。
【００２１】
本発明は、第５の観点からすると、本発明の多層情報記録媒体を対象媒体とする情報再生装置であって、前記多層情報記録媒体に記録されている複数の管理情報のうち、再生対象のデータが記録されている記録層に対応する管理情報を取得する取得手段と；前記取得された管理情報に基づいて、前記再生対象のデータを再生する再生手段と；を備える情報再生装置である。
【００２２】
これによれば、本発明の多層情報記録媒体に記録されている複数の管理情報のうち、再生対象のデータが記録されている記録層に対応する管理情報が取得手段によって取得され、その取得された管理情報に基づいて、再生手段によって再生対象のデータが再生される。この場合に、再生対象のデータが記録されている記録層に対応する管理情報が取得されたときにのみ再生対象のデータを再生させることができる。
【００２３】
本発明は、第６の観点からすると、複数の記録層を有する多層情報記録媒体への記録が可能な記録装置と；前記複数の記録層にそれぞれ対応し、各記録層に記録されるデータへの不正アクセスを防止するための複数の管理情報を、前記記録装置を介してそれぞれ前記多層情報記録媒体の異なる記録層に記録する処理装置と；を備える情報処理装置である。
【００２４】
これによれば、処理装置によって、複数の記録層にそれぞれ対応し、各記録層に記録されるデータへの不正アクセスを防止するための複数の管理情報が記録装置を介して多層情報記録媒体の異なる記録層に記録される。すなわち、記録層毎にデータが不正アクセスからガードされるため、例えば１つの記録層におけるガードが破られたとしても、一部のデータのみが盗まれるだけである。従って、多層情報記録媒体に記録されるデータの不正アクセスに対する安全性を従来よりも向上させることが可能となる。
【００２５】
本発明は、第７の観点からすると、本発明の多層情報記録媒体を対象媒体とする再生装置と；前記再生装置を介して、前記多層情報記録媒体に記録されている複数の管理情報のうち、再生対象のデータが記録されている記録層に対応する管理情報を取得し、該管理情報に基づいて前記再生対象のデータを再生する処理装置と；を備える情報処理装置である。
【００２６】
これによれば、処理装置によって、本発明の多層情報記録媒体に記録されている複数の管理情報のうち、再生対象のデータが記録されている記録層に対応する管理情報が再生装置を介して取得され、その取得された管理情報に基づいて再生対象のデータが再生される。この場合に、再生対象のデータが記録されている記録層に対応する管理情報が取得されたときにのみ再生対象のデータを再生させることができる。
【００２７】
本発明は、第８の観点からすると、複数の記録層を有する多層情報記録媒体を対象媒体とする情報処理装置に用いられるプログラムであって、前記複数の記録層にそれぞれ対応し、各記録層に記録されるデータへの不正アクセスを防止するための複数の管理情報を取得する手順と；前記複数の管理情報をそれぞれ前記多層情報記録媒体の異なる記録層に記録する手順と；を前記情報処理装置に実行させるプログラムである。
【００２８】
これによれば、本発明のプログラムが所定のメモリにロードされ、その先頭アドレスがプログラムカウンタにセットされると、複数の記録層にそれぞれ対応し、各記録層に記録されるデータへの不正アクセスを防止するための複数の管理情報を取得し、複数の管理情報をそれぞれ多層情報記録媒体の異なる記録層に記録する。すなわち、本発明のプログラムによれば、情報処理装置に請求項１に記載の発明に係る記録方法を実行させることができ、その結果として多層情報記録媒体に記録されるデータの不正アクセスに対する安全性を従来よりも向上させることが可能となる。
【００２９】
本発明は、第９の観点からすると、本発明の多層情報記録媒体を対象媒体とする情報処理装置に用いられるプログラムであって、前記多層情報記録媒体に記録されている複数の管理情報のうち、再生対象のデータが記録されている記録層に対応する管理情報を取得する手順と；前記取得された管理情報に基づいて、前記再生対象のデータを再生する手順と；を前記情報処理装置に実行させるプログラムである。
【００３０】
これによれば、本発明のプログラムが所定のメモリにロードされ、その先頭アドレスがプログラムカウンタにセットされると、多層情報記録媒体に記録されている複数の管理情報のうち、再生対象のデータが記録されている記録層に対応する管理情報を取得し、その取得された管理情報に基づいて、再生対象のデータを再生する。すなわち、本発明のプログラムによれば、情報処理装置に本発明の再生方法を実行させることができ、その結果として本発明の記録方法で記録された多層情報記録媒体からデータを再生することが可能となる。
【００３１】
本発明は、第１０の観点からすると、本発明のプログラムが記録されたコンピュータ読み取り可能な記録媒体である。
【発明を実施するための最良の形態】
【００３２】
以下、本発明の一実施形態を図１〜図９に基づいて説明する。図１には、本発明の一実施形態に係る情報処理装置としてのパーソナルコンピュータ（以下では、便宜上「パソコン」ともいう）１０の概略構成が示されている。
【００３３】
この図１に示されるパソコン１０は、主制御装置９２、記録装置及び再生装置としての光ディスク装置２０、ハードディスク装置（ＨＤＤ）９４、入力装置９５、表示装置９６、ドライブインターフェース９７及びネットワーク制御装置９８などを備えている。
【００３４】
前記主制御装置９２は、ＣＰＵ９２ａ、ＲＯＭ９２ｂ及びＲＡＭ９２ｃなどから構成されている。ＣＰＵ９２ａは、ＲＯＭ９２ｂ及びＲＡＭ９２ｃに格納されているプログラムに基づいてパソコン１０の全体を制御するとともに、後述する記録処理及び再生処理を行う。
【００３５】
前記ＨＤＤ９４は、ハードディスク９４ａと、該ハードディスク９４ａを駆動するための駆動装置９４ｂなどから構成されている。そして、ハードディスク９４ａには、主制御装置９２のＣＰＵ９２ａにて解読可能なコードで記述された本発明に係るプログラムを含む各種プログラムが記録されている。このハードディスク９４ａに記録されているプログラムは、必要に応じて主制御装置９２のＲＡＭ９２ｃにロードされる。また、ハードディスク９４ａにユーザデータが含まれる各種ファイルも記録されている。
【００３６】
前記表示装置９６は、例えばＣＲＴ、液晶ディスプレイ（ＬＣＤ）及びプラズマ・ディスプレイ・パネル（ＰＤＰ）などを用いた表示部（図示省略）を備え、主制御装置９２から指示された各種情報を表示する。
【００３７】
前記入力装置９５は、例えばキーボード、マウス、タブレット、ライトペン及びタッチパネルなどのうち少なくとも１つの入力媒体（図示省略）を備え、ユーザから入力された各種情報を主制御装置９２に通知する。なお、入力媒体からの情報はワイヤレス方式で入力されても良い。また、表示装置９６と入力装置９５とが一体化されたものとして、例えばタッチパネル付きＬＣＤなどがある。
【００３８】
前記ドライブインターフェース９７は、主制御装置９２と、光ディスク装置２０及びＨＤＤ９４との双方向の通信インターフェースであり、ＡＴＡＰＩ（AT Attachment Packet Interface）規格に準拠している。
【００３９】
前記ネットワーク制御装置９８は、公衆回線を利用した双方向の通信を制御する。このネットワーク制御装置９８を介してインターネット接続が可能となる。
【００４０】
前記光ディスク装置２０は、主制御装置９２の指示に基づいて、セットされている光ディスク（ここでは、光ディスク１５）に対して情報の記録及び再生を行なう。
【００４１】
この光ディスク装置２０は、一例として図２に示されるように、光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図２における矢印は、代表的な信号や情報の流れを示すものであり、各ブロックの接続関係の全てを表すものではない。また、光ディスク装置２０は、複数の記録層を有する光ディスク（以下、便宜上「多層ディスク」ともいう）に対応しているものとする。
【００４２】
ここでは、上記光ディスク１５は本発明の一実施形態に係る多層情報記録媒体であり、一例として図３の概略図に示されるように、光の入射側から順に、保護層Ｐ１、記録層Ｌ１（第１の記録層）、保護層Ｐ２、記録層Ｌ２（第２の記録層）、保護層Ｐ３、光反射層ＲＬ及び保護層Ｐ４などから構成されている。また、記録層Ｌ１と保護層Ｐ２との間には金や誘電体などで形成された半透明膜がある。すなわち、光ディスク１５は、いわゆる片面２層ディスクである。なお、各記録層にはスパイラル状又は同心円状の案内用の溝を有するトラックがそれぞれ形成されている。そして、記録層Ｌ１が記録層Ｌ２よりも光ピックアップ装置２３に近くなるように、光ディスク１５は、光ディスク装置２０にセットされる。そこで、光ディスク１５に入射した光の一部は半透明膜で反射され、残りは半透明膜を透過する。そして、半透明膜を透過した光は光反射層ＲＬで反射される。以下では、便宜上、半透明膜で反射された光を「記録層Ｌ１からの反射光」あるいは「記録層Ｌ１での反射光」といい、光反射層ＲＬで反射された光を「記録層Ｌ２からの反射光」あるいは「記録層Ｌ２での反射光」という。また、光ディスク１５は、一例として図４に示されるように、記録層毎にユーザデータが記録されるデータ領域を有しており、ＤＶＤ＋Ｒ  ＤＬの規格に準拠しているものとする。
【００４３】
図２に戻り、前記光ピックアップ装置２３は、光ディスク１５の２つの記録層のうちアクセス対象の記録層（以下では、「対象記録層」と略述する）にレーザ光を集光するとともに、対象記録層からの反射光を受光するための装置である。この光ピックアップ装置２３は、光ディスク１５に対応した波長のレーザ光を出射する半導体レーザ、該半導体レーザから出射された光を光ディスク１５の対象記録層に集光する対物レンズ、対象記録層で反射された戻り光を受光する受光器、及び前記対物レンズを駆動するための駆動系（フォーカシングアクチュエータ及びトラッキングアクチュエータ）（いずれも図示省略）などを含んで構成されている。前記受光器は複数の受光素子（又は受光領域）を有し、各受光素子（又は受光領域）での受光量に応じた信号（光電変換信号）を再生信号処理回路２８に出力する。
【００４４】
前記再生信号処理回路２８は、前記受光器の出力信号（複数の光電変換信号）に基づいて、従来と同様にして、サーボ信号（フォーカスエラー信号やトラックエラー信号など）、アドレス情報、同期信号、及びＲＦ信号などを取得する。ここで得られたサーボ信号は前記駆動制御回路２６及びＣＰＵ４０に出力され、アドレス情報及びＲＦ信号はＣＰＵ４０に出力され、同期信号はエンコーダ２５や駆動制御回路２６などに出力される。また、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。
【００４５】
前記駆動制御回路２６は、再生信号処理回路２８からのトラックエラー信号に基づいて、トラッキング方向に関する対物レンズの位置ずれを補正するための前記トラッキングアクチュエータの駆動信号を生成する。また、駆動制御回路２６は、再生信号処理回路２８からのフォーカスエラー信号に基づいて、対物レンズのフォーカスずれを補正するための前記フォーカシングアクチュエータの駆動信号を生成する。ここで生成された各アクチュエータの駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各モータの駆動信号は、それぞれシークモータ２１及びスピンドルモータ２２に出力される。
【００４６】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００４７】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００４８】
前記レーザ制御回路２４は、前記半導体レーザの発光パワーを制御する。例えば記録の際には、前記書き込み信号、記録条件及び半導体レーザの発光特性などに基づいて、半導体レーザの駆動信号がレーザ制御回路２４にて生成される。
【００４９】
前記インターフェース３８は、前記ドライブインターフェース９７を介した主制御装置９２との双方向の通信インターフェースであり、ドライブインターフェース９７と同じ規格に準拠している。
【００５０】
前記フラッシュメモリ３９には、ＣＰＵ４０にて解読可能なコードで記述された各種プログラム、記録パワーや記録ストラテジ情報を含む記録条件、及び半導体レーザの発光特性などが格納されている。
【００５１】
前記ＣＰＵ４０は、フラッシュメモリ３９に格納されている上記プログラムに従って光ディスク装置２０の全体を制御するとともに、制御に必要なデータなどをＲＡＭ４１及びバッファＲＡＭ３４に保存する。
【００５２】
《復号情報の記録処理》
次に、パソコン１０における復号情報の記録処理について図５及び図６（Ａ）〜図６（Ｃ）を用いて説明する。図５のフローチャートは、主制御装置９２のＣＰＵ９２ａによって実行される一連の処理アルゴリズムに対応している。なお、ここでは、光ディスク１５の各記録層におけるデータ領域はいずれもブランク状態であるものとする。また、各データ領域に記録されるユーザデータは、公開鍵暗号方式で暗号化されるものとする。具体的には、記録層Ｌ１のデータ領域に記録されるユーザデータは第１の公開鍵で暗号化され、記録層Ｌ２のデータ領域に記録されるユーザデータは第２の公開鍵で暗号化されるものとする。そして、記録層Ｌ１のデータ領域に記録される暗号化されたユーザデータを復号するのに必要な鍵を第１の秘密鍵とし、記録層Ｌ２のデータ領域に記録される暗号化されたユーザデータを復号するのに必要な鍵を第２の秘密鍵とする。
【００５３】
ユーザが入力装置９５を介して、第１の秘密鍵、第２の秘密鍵及び復号情報の記録要求を入力すると、ハードディスク９４ａに格納されている図５のフローチャートに対応するプログラムが、主制御装置９２のＲＡＭ９２ｃにロードされ、復号情報の記録処理がスタートする。
【００５４】
最初のステップ４０１では、第２の秘密鍵に第２の秘密鍵であることを意味する識別情報を付加し、第２の秘密鍵情報（ｋ２とする）を作成する。
【００５５】
次のステップ４０３では、光ディスク装置２０に対して、記録層Ｌ１の予め設定されている領域（以下では便宜上、「第１復号情報領域」という。）への第２の秘密鍵情報ｋ２の記録を指示する。これにより、一例として図６（Ａ）に示されるように、第２の秘密鍵情報ｋ２は、エンコーダ２５、レーザ制御回路２４及び光ピックアップ装置２３などを介して第１復号情報領域に記録される。
【００５６】
次のステップ４０５では、第１の秘密鍵に第１の秘密鍵であることを意味する識別情報を付加し、第１の秘密鍵情報（ｋ１とする）を作成する。
【００５７】
次のステップ４０７では、光ディスク装置２０に対して、記録層Ｌ２の予め設定されている領域（以下では便宜上、「第２復号情報領域」という。）への第１の秘密鍵情報ｋ１の記録を指示する。これにより、一例として図６（Ｂ）に示されるように、第１の秘密鍵情報ｋ１は、エンコーダ２５、レーザ制御回路２４及び光ピックアップ装置２３などを介して第２復号情報領域に記録される。
【００５８】
次のステップ４０９では、第２の秘密鍵が第１復号情報領域に記録され、第１の秘密鍵が第２復号情報領域に記録されていることを示す対応情報（Ｒとする）を作成する。なお、対応情報Ｒには、対応情報Ｒであることを示す識別情報が含まれている。
【００５９】
次のステップ４１１では、光ディスク装置２０に対して、記録層Ｌ１の予め設定されている領域（以下では便宜上、「対応情報領域」という。）への対応情報Ｒの記録を指示する。これにより、一例として図６（Ｃ）に示されるように、対応情報Ｒは、エンコーダ２５、レーザ制御回路２４及び光ピックアップ装置２３などを介して対応情報領域に記録される。
【００６０】
次のステップ４１３では、復号情報の記録が終了したことを表示装置９６の表示部に表示し、ユーザに通知する。そして、ユーザが記録終了を確認すると、復号情報の記録処理を終了する。
【００６１】
なお、第１復号情報領域、第２復号情報領域及び対応情報領域は、一例として図６（Ｃ）に示されるように、光ディスク１５の回転中心からの距離（以下では、便宜上「半径位置」ともいう。）が互いに異なっている。
【００６２】
《ユーザデータの記録処理》
次に、パソコン１０におけるユーザデータの記録処理について図７、図８（Ａ）及び図８（Ｂ）を用いて説明する。図７のフローチャートは、主制御装置９２のＣＰＵ９２ａによって実行される一連の処理アルゴリズムに対応している。なお、ここでは、前記第１の秘密鍵情報ｋ１、第２の秘密鍵情報ｋ２及び対応情報Ｒは、上記復号情報の記録処理によってすでに光ディスク１５に記録されているものとする。
【００６３】
ユーザが入力装置９５を介して、前記第１の公開鍵、第２の公開鍵、及びハードディスク９４ａに格納されているファイルを指定してユーザデータの記録要求を入力すると、ハードディスク９４ａに格納されている図７のフローチャートに対応するプログラムが、主制御装置９２のＲＡＭ９２ｃにロードされ、ユーザデータの記録処理がスタートする。
【００６４】
最初のステップ５０１では、指定されたファイルに含まれるユーザデータをハードディスク９４ａから主制御装置９２のＲＡＭ９２ｃに転送する。
【００６５】
次のステップ５０３では、ユーザデータが記録されるアドレスに基づいて対象記録層を特定する。
【００６６】
次のステップ５０５では、対象記録層が記録層Ｌ１であるか否かを判断する。対象記録層が記録層Ｌ１であれば、ここでの判断は肯定され、ステップ５０７に移行する。
【００６７】
このステップ５０７では、ユーザデータを第１の公開鍵で暗号化する。
【００６８】
次のステップ５１１では、ユーザデータの記録要求コマンドを光ディスク装置２０に発行する。これにより、この場合には、一例として図８（Ａ）に示されるように、ユーザデータは、エンコーダ２５、レーザ制御回路２４及び光ピックアップ装置２３などを介して、記録層Ｌ１のデータ領域の先頭から終端に向かって記録される。
【００６９】
次のステップ５１３では、光ディスク装置２０におけるユーザデータの記録が完了したか否かを判断する。光ディスク装置２０からの終了通知を受信していなければ、ここでの判断は否定され、所定時間経過後に再度判断する。一例として図８（Ｂ）に示されるように、光ディスク１５の対象記録層におけるデータ領域にユーザデータが記録され、光ディスク装置２０からの終了通知を受信していれば、ここでの判断は肯定され、次のステップ５１５に移行する。
【００７０】
このステップ５１１では、ユーザデータの記録が終了したことを表示装置９６の表示部に表示し、ユーザに通知する。そして、ユーザが記録終了を確認すると、ユーザデータの記録処理を終了する。
【００７１】
なお、上記ステップ５０５において、対象記録層が記録層Ｌ１でなければ、ステップ５０５での判断は否定され、ステップ５０９に移行する。
【００７２】
このステップ５０９では、ユーザデータを第２の公開鍵で暗号化する。そして、前記ステップ５１１に移行する。この場合には、ユーザデータは記録層Ｌ２のデータ領域に記録される。
【００７３】
《ユーザデータの再生処理》
次に、上記ユーザデータの記録処理でユーザデータが記録された光ディスク１５からユーザデータを再生するときの、パソコン１０における処理（再生処理）について図９を用いて説明する。図９のフローチャートは、主制御装置９２のＣＰＵ９２ａによって実行される一連の処理アルゴリズムに対応している。
【００７４】
ユーザが入力装置９５を介して、再生対象のユーザデータを指定して再生要求を入力すると、ハードディスク９４ａに格納されている図９のフローチャートに対応するプログラムが、主制御装置９２のＲＡＭ９２ｃにロードされ、ユーザデータの記録処理がスタートする。
【００７５】
最初のステップ６０１では、光ディスク装置２０に対して、光ディスク１５の前記対応情報領域の再生を指示する。
【００７６】
次のステップ６０３では、対応情報領域の再生結果に基づいて対応情報Ｒに付加されている識別情報の有無をチェックし、対応情報Ｒを取得できたか否かを判断する。対応情報Ｒに付加されている識別情報が有れば対応情報Ｒが取得できたこととなり、ここでの判断は肯定され、ステップ６０５に移行する。
【００７７】
このステップ６０５では、再生対象のユーザデータが記録されているアドレスに基づいて対象記録層を特定する。
【００７８】
次のステップ６０７では、対象記録層が記録層Ｌ１であるか否かを判断する。対象記録層が記録層Ｌ１であれば、ここでの判断は肯定され、ステップ６０９に移行する。
【００７９】
このステップ６０９では、対応情報Ｒを参照し、光ディスク装置２０に対して、光ディスク１５の前記第２復号情報領域の再生を指示する。
【００８０】
次のステップ６１３では、第２復号情報領域の再生結果に基づいて第１の秘密鍵に付加されている識別情報の有無をチェックし、第１の秘密鍵情報ｋ１を取得できたか否かを判断する。第１の秘密鍵に付加されている識別情報が有れば第１の秘密鍵情報ｋ１が取得できたこととなり、ここでの判断は肯定され、ステップ６１５に移行する。
【００８１】
次のステップ６１５では、光ディスク装置２０に対して、再生対象のユーザデータが記録されているアドレスの再生を指示する。そして、光ディスク装置２０からの再生データをＲＡＭ９２ｃに格納する。
【００８２】
次のステップ６１７では、第１の秘密鍵を用いて、ＲＡＭ９２ｃに格納されている再生データを復号する。
【００８３】
次のステップ６１９では、再生データの復号が正常に行われたか否かを判断する。再生データの復号が正常に行われると、ここでの判断は肯定され、ステップ６２１に移行する。
【００８４】
このステップ６２１では、指定されたユーザデータの再生が終了したことを表示装置９６の表示部に表示し、ユーザに通知する。そして、ユーザが再生終了を確認すると、再生処理を終了する。
【００８５】
なお、上記ステップ６０３において、対応情報Ｒを取得できなければ、ステップ６０３での判断は否定され、ステップ６２３に移行する。
【００８６】
このステップ６２３では、再生不可を表示装置９６の表示部に表示し、ユーザに通知する。そして、ユーザが再生不可を確認すると、再生処理を終了する。
【００８７】
また、上記ステップ６１３において、第１の秘密鍵情報ｋ１を取得できなければ、ステップ６１３での判断は否定され、上記ステップ６２３に移行する。
【００８８】
また、上記ステップ６１９において、再生データの復号が正常に行われていないと、ステップ６１９での判断は否定され、上記ステップ６２３に移行する。
【００８９】
また、上記ステップ６０７において、対象記録層が記録層Ｌ１でなければ、ステップ６０７での判断は否定され、ステップ６１１に移行する。
【００９０】
このステップ６１１では、対応情報Ｒを参照し、光ディスク装置２０に対して、光ディスク１５の前記第１復号情報領域の再生を指示する。
【００９１】
この場合には、上記ステップ６１３では、第１復号情報領域の再生結果に基づいて第２の秘密鍵に付加されている識別情報の有無をチェックし、第２の秘密鍵情報ｋ２を取得できたか否かを判断する。第２の秘密鍵に付加されている識別情報が有れば第２の秘密鍵情報ｋ２が取得できたこととなり、ここでの判断は肯定され、ステップ６１５に移行する。
【００９２】
また、この場合には、上記ステップ６１７では、第２の秘密鍵を用いて、ＲＡＭ９２ｃに格納されている再生データを復号する。
【００９３】
以上の説明から明らかなように、本実施形態に係るパソコン１０では、光ディスク装置２０によって記録装置が実現され、ＣＰＵ９２ａと該ＣＰＵ９２ａにて実行されるプログラムとによって、処理装置が実現されている。なお、ＣＰＵ９２ａによるプログラムに従う処理によって実現した処理装置の一部をハードウェアによって構成することとしても良いし、あるいは全てをハードウェアによって構成することとしても良い。
【００９４】
また、本実施形態では、記録媒体としてのハードディスク９４ａに記録されているプログラムのうち、図５に対応するプログラム及び図９に対応するプログラムによって、本発明に係るプログラムが実施されている。すなわち、ステップ４０１及びステップ４０５に対応するプログラムによって複数の管理情報を取得する手順が実施され、ステップ４０３及びステップ４０７に対応するプログラムによって複数の管理情報を記録する手順が実施されている。また、ステップ６０９及びステップ６１１に対応するプログラムによって対応する管理情報を取得する手順が実施され、ステップ６１７に対応するプログラムによってデータを再生する手順が実施されている
【００９５】
また、上記復号情報の記録処理において本発明に係る記録方法が実行されている。すなわち、ステップ４０３及びステップ４０７の処理によって複数の管理情報を記録する工程が実行され、ステップ４１１の処理によって記録位置に関する情報を記録する工程が実行されている。
【００９６】
また、上記ユーザデータの再生処理において本発明に係る再生方法が実行されている。すなわち、ステップ６０９及びステップ６１１の処理によって管理情報を取得する工程が実行され、ステップ６１７の処理によってデータを再生する工程が実行されている。また、ステップ６０１の処理によって記録位置に関する情報を取得する工程が実行されている。
【００９７】
以上説明したように、本実施形態に係るパソコン１０によると、ユーザから復号情報の記録要求があると、第２の秘密鍵が含まれる第２の秘密鍵情報ｋ２（第２の管理情報）を光ディスク１５（多層情報記録媒体）の記録層Ｌ１（第１の記録層）に設けられた第１復号情報領域に記録し、第１の秘密鍵が含まれる第１の秘密鍵情報ｋ１（第１の管理情報）を光ディスク１５の記録層Ｌ２（第２の記録層）に設けられた第２復号情報領域に記録する。さらに、第２の秘密鍵が第１復号情報領域に記録され、第１の秘密鍵が第２復号情報領域に記録されていることを示す対応情報Ｒ（管理情報の記録位置に関する情報）を記録層Ｌ１に設けられた対応情報領域に記録する。これにより、光ディスク１５では、記録層毎にデータが不正アクセスからガードされるため、例えば１つの記録層におけるガードが破られたとしても、一部のデータのみが盗まれるだけである。従って、多層情報記録媒体に記録されるデータの不正アクセスに対する安全性を従来よりも向上させることが可能となる。
【００９８】
また、本実施形態によると、第１復号情報領域、第２復号情報領域及び対応情報領域は、光ディスク１５における半径位置が互いに異なっている。これにより、傷、ホコリ及び指紋などにより各情報が同時に読み出せなくなる確率を低下させることができる。
【００９９】
また、本実施形態に係るパソコン１０によると、ユーザからユーザデータの再生要求があると、光ディスク１５の対応情報領域を再生し、対応情報Ｒが取得できないと再生を不可とする。また、対応情報Ｒが取得できても、対象記録層に対応する秘密鍵情報が取得できないと再生を不可とする。さらに、秘密鍵情報が取得できても、再生データの復号が正常に行われないと再生を不可とする。すなわち、対応情報Ｒ及び対象記録層に対応する秘密鍵情報が取得され、かつ再生データの復号が正常に行われたときにのみユーザデータの再生が可能となる。
【０１００】
なお、上記実施形態では、第２の秘密鍵情報ｋ２が第１復号情報領域に記録され、第１の秘密鍵情報ｋ１が第２復号情報領域に、それぞれ記録される場合について説明したが、これに限らず、一例として図１０（Ａ）に示されるように、第１の秘密鍵情報ｋ１が第１復号情報領域に記録され、第２の秘密鍵情報ｋ２が第２復号情報領域に、それぞれ記録されても良い。そして、この場合のように、秘密鍵が対応する記録層に記録されるときには、一例として図１０（Ｂ）に示されるように、前記対応情報Ｒが光ディスク１５に記録されなくても良い。
【０１０１】
また、上記実施形態では、第１復号情報領域及び第２復号情報領域の光ディスク１５における半径位置が互いに異なる場合について説明したが、これに限らず、例えば、再生処理のレスポンスを速くする必要が有る場合には、一例として図１１に示されるように、第１復号情報領域及び第２復号情報領域の半径位置が互いにほぼ同じであっても良い。この場合には、シーク動作をすることなく各秘密鍵情報を読み取ることが可能となる。
【０１０２】
また、上記実施形態において、第１の秘密鍵情報ｋ１を部分秘密鍵情報ｋ１aと部分秘密鍵情報ｋ１bとに分割するとともに、第２の秘密鍵情報ｋ２を部分秘密鍵情報ｋ２aと部分秘密鍵情報ｋ２bとに分割し、一例として図１２に示されるように、部分秘密鍵情報ｋ１aと部分秘密鍵情報ｋ２aとを記録層Ｌ１に記録し、部分秘密鍵情報ｋ１bと部分秘密鍵情報ｋ２bとを記録層Ｌ２に記録しても良い。
【０１０３】
また、上記実施形態では、前記対応情報Ｒが記録層Ｌ１に記録される場合について説明したが、これに限らず、一例として図１３に示されるように、前記対応情報Ｒが記録層Ｌ２に記録されても良い。すなわち、対応情報領域が記録層Ｌ２に設けられても良い。
【０１０４】
また、上記実施形態の再生処理では、前記対応情報Ｒを光ディスク１５から読み出す場合について説明したが、例えば、前記ネットワーク制御装置９８を介してインターネット接続を行い、ユーザデータの権利者から前記対応情報Ｒを取得（ダウンロード）しても良い。この場合に、ユーザデータの権利者は、例えば料金を払ったユーザのみに対応情報Ｒのダウンロードを許可しても良い。
【０１０５】
また、上記復号情報の記録処理において、更に前記各公開鍵を光ディスク１５に記録しても良い。この場合には、上記ユーザデータの記録処理において、各公開鍵を光ディスク１５から読み取るようにすれば、各公開鍵をユーザが入力しなくても良い。
【０１０６】
また、上記復号情報の記録処理において、前記対応情報Ｒが記録されていることを示す情報を、ベンダ情報、商品情報などが含まれるディスク情報の一つとして光ディスク１５に更に記録しても良い。これにより、ユーザデータの再生処理を簡略化することが可能となる。
【０１０７】
また、上記復号情報の記録処理では、ユーザが各秘密鍵を入力する場合について説明したが、これに限らず、例えば、ＣＰＵ９２ａが、光ディスク１５に製造時に記録されているユニークなＩＤ情報に基づいて各公開鍵及び各公開鍵に対応する各秘密鍵をそれぞれ生成しても良い。
【０１０８】
また、上記実施形態では、ユーザデータの暗号化に公開鍵暗号方式が用いられる場合について説明したが、本発明がこれに限定されるものではなく、公開鍵暗号方式以外の方式でユーザデータが暗号化されても良い。この場合には、前記秘密鍵情報に代えて、暗号化されたユーザデータを復号するための復号鍵を含む情報が光ディスク１５に記録されることとなる。なお、この場合においても、復号鍵を含む情報は、記録層毎に互いに異なる情報が用いられる。
【０１０９】
また、上記実施形態における各秘密鍵情報及び対応情報Ｒの少なくとも一方を、光ディスク１５の製造時にＡＤＩＰ情報として光ディスク１５に記録しても良い。
【０１１０】
また、上記実施形態では、管理情報としてユーザデータを復号するための復号情報が用いられる場合について説明したが、本発明がこれに限定されるものではない。例えば、各データ領域へのアクセスが可能か否かを判断するための識別情報を用いても良い。
【０１１１】
また、上記実施形態では、光ディスク１５が２つの記録層を有する場合について説明したが、これに限定されるものではない。光ディスク１５が３つ以上の記録層を有していても良い。例えば図１４に示されるように、光ディスク１５が、光の入射側から順に、保護層Ｐ１、記録層Ｌ１、保護層Ｐ２、記録層Ｌ２、保護層Ｐ３、記録層Ｌ３、保護層Ｐ４、光反射層ＲＬ及び保護層Ｐ５などから構成される片面３層ディスクの場合には、記録層Ｌ１、記録層Ｌ２及び記録層Ｌ３の所定位置にそれぞれ秘密鍵が記録される。この場合に、例えば図１５に示されるように、記録層Ｌ１に第２の秘密鍵情報ｋ２を、記録層Ｌ２に第３の秘密鍵情報（ｋ３とする）を、記録層Ｌ３に第１の秘密鍵情報ｋ１を、それぞれ記録しても良い。
【０１１２】
また、上記実施形態では、情報処理装置がパソコンの場合について説明したが、情報記録装置が上記復号情報の記録処理と同様な処理を行うＤＶＤレコーダであっても良い。また、情報再生装置が上記ユーザデータの再生処理と同様な処理を行うＤＶＤプレーヤであっても良い。
【０１１３】
また、上記実施形態では、本発明に係るプログラムがハードディスク９４ａに記録されている場合について説明したが、これに限らず、例えば別の記録媒体（例えば、光ディスク、ＭＯ、メモリカード、ＵＳＢメモリ、フレキシブルディスク等）に記録されていても良い。この場合には、各記録媒体に対応する再生装置（又は専用インターフェース）を介して本発明に係るプログラムをＲＡＭ９２ｃにロードすることとなる。また、ネットワーク（ＬＡＮ、イントラネット、インターネットなど）を介して本発明に係るプログラムをＲＡＭ９２ｃにロードしても良い。要するに、本発明に係るプログラムがＲＡＭ９２ｃにロードされれば良い。
【０１１４】
《情報記録装置》
また、光ディスク装置２０が、本発明の一実施形態に係る情報記録装置として、パソコン１０に代わってパソコン１０で行われている上記復号情報の記録処理と同等な処理を行っても良い。この場合には、ＣＰＵ４０と該ＣＰＵ４０にて実行されるプログラムとによって取得手段が実現されている。また、光ピックアップ装置２３とレーザ制御回路２４とエンコーダ２５とによって記録手段が実現されている。なお、ＣＰＵ４０によるプログラムに従う処理によって実現した手段の一部をハードウェアによって構成することとしても良いし、あるいは全てをハードウェアによって構成することとしても良い。
【０１１５】
《復号情報の記録処理》
この場合に、光ディスク装置２０における復号情報の記録処理について図１６を用いて説明する。図１６のフローチャートは、ＣＰＵ４０によって実行される一連の処理アルゴリズムに対応している。
【０１１６】
パソコン１０から復号情報の記録要求を受信すると、フラッシュメモリ３９に格納されている図１６のフローチャートに対応するプログラムの先頭アドレスがＣＰＵ４０のプログラムカウンタにセットされ、復号情報の記録処理がスタートする。
【０１１７】
最初のステップ７０１では、所定の線速度（又は角速度）で光ディスク１５が回転するように駆動制御回路２６に指示するとともに、パソコン１０から復号情報の記録要求を受信した旨を再生信号処理回路２８に通知する。
【０１１８】
次のステップ７０３では、パソコン１０から第１の秘密鍵及び第２の秘密鍵を受信する。
【０１１９】
次のステップ７０５では、第２の秘密鍵に第２の秘密鍵であることを意味する識別情報を付加し、第２の秘密鍵情報ｋ２を作成する。
【０１２０】
次のステップ７０７では、第１復号情報領域への第２の秘密鍵情報ｋ２の記録を指示する。これにより、第２の秘密鍵情報ｋ２は、エンコーダ２５、レーザ制御回路２４及び光ピックアップ装置２３などを介して第１復号情報領域に記録される。
【０１２１】
次のステップ７０９では、第１の秘密鍵に第１の秘密鍵であることを意味する識別情報を付加し、第１の秘密鍵情報ｋ１を生成する。
【０１２２】
次のステップ７１１では、第２復号情報領域への第１の秘密鍵情報ｋ１の記録を指示する。これにより、第１の秘密鍵情報ｋ１は、エンコーダ２５、レーザ制御回路２４及び光ピックアップ装置２３などを介して第２復号情報領域に記録される。
【０１２３】
次のステップ７１３では、第２の秘密鍵が第１復号情報領域に記録され、第１の秘密鍵が第２復号情報領域に記録されていることを示す対応情報Ｒの、対応情報領域への記録を指示する。これにより、対応情報Ｒは、エンコーダ２５、レーザ制御回路２４及び光ピックアップ装置２３などを介して対応情報領域に記録される。
【０１２４】
次のステップ７１５では、復号情報の記録が終了したことをパソコン１０に通知する。そして、復号情報の記録処理を終了する。
【０１２５】
《情報再生装置》
また、光ディスク装置２０が、本発明の一実施形態に係る情報再生装置として、パソコン１０に代わってパソコン１０で行われている上記ユーザデータの再生処理と同等な処理を行っても良い。この場合には、ＣＰＵ４０と該ＣＰＵ４０にて実行されるプログラムとによって取得手段及び再生手段が実現されている。なお、ＣＰＵ４０によるプログラムに従う処理によって実現した手段の一部をハードウェアによって構成することとしても良いし、あるいは全てをハードウェアによって構成することとしても良い。
【０１２６】
《ユーザデータの再生処理》
この場合に、光ディスク装置２０におけるユーザデータの再生処理について図１７を用いて説明する。図１７のフローチャートは、ＣＰＵ４０によって実行される一連の処理アルゴリズムに対応している。
【０１２７】
パソコン１０から再生要求コマンドを受信すると、フラッシュメモリ３９に格納されている図１７のフローチャートに対応するプログラムの先頭アドレスがＣＰＵ４０のプログラムカウンタにセットされ、再生処理がスタートする。
【０１２８】
最初のステップ８０１では、所定の線速度（又は角速度）で光ディスク１５が回転するように駆動制御回路２６に指示するとともに、パソコン１０からユーザデータの再生要求を受信した旨を再生信号処理回路２８に通知する。
【０１２９】
次のステップ８０３では、再生信号処理回路２８を介して、光ディスク１５の対応情報領域を再生する。
【０１３０】
次のステップ８０５では、識別情報をチェックし、対応情報Ｒを取得できたか否かを判断する。対応情報Ｒを取得できれば、ここでの判断は肯定され、ステップ８０７に移行する。
【０１３１】
このステップ８０７では、再生要求コマンドから指定アドレスを抽出し、その指定アドレスから対象記録層を特定する。
【０１３２】
次のステップ８０９では、対象記録層が記録層Ｌ１であるか否かを判断する。対象記録層が記録層Ｌ１であれば、ここでの判断は肯定され、ステップ８１１に移行する。
【０１３３】
このステップ８１１では、対応情報Ｒを参照し、再生信号処理回路２８を介して第２復号情報領域を再生する。
【０１３４】
次のステップ８１５では、識別情報をチェックし、第１の秘密鍵情報ｋ１を取得できたか否かを判断する。第１の秘密鍵情報ｋ１を取得できれば、ここでの判断は肯定され、ステップ８１７に移行する。
【０１３５】
次のステップ８１７では、再生信号処理回路２８を介して、指定アドレスを再生し、バッファＲＡＭ３４に格納する。
【０１３６】
次のステップ８１９では、第１の秘密鍵を用いて、バッファＲＡＭ３４に格納されている再生データを復号する。
【０１３７】
次のステップ８２１では、再生データの復号が正常に行われたか否かを判断する。再生データの復号が正常に行われると、ここでの判断は肯定され、ステップ８２３に移行する。
【０１３８】
このステップ８２３では、復号された再生データをバッファマネージャ３７及びインターフェース３８を介してパソコン１０に転送する。そして、再生処理を終了する。
【０１３９】
なお、上記ステップ８０５において、対応情報Ｒを取得できなければ、ステップ８０５での判断は否定され、ステップ８２５に移行する。
【０１４０】
このステップ８２５では、再生不可をパソコン１０に通知する。そして、再生処理を終了する。
【０１４１】
また、上記ステップ８１５において、第１の秘密鍵情報ｋ１を取得できなければ、ステップ８１５での判断は否定され、上記ステップ８２５に移行する。
【０１４２】
また、上記ステップ８２１において、再生データの復号が正常に行われていないと、ステップ８２１での判断は否定され、上記ステップ８２５に移行する。
【０１４３】
また、上記ステップ８０９において、対象記録層が記録層Ｌ１でなければ、ステップ８０９での判断は否定され、ステップ８１３に移行する。
【０１４４】
このステップ８１３では、対応情報Ｒを参照し、再生信号処理回路２８を介して記録層Ｌ１の第１復号情報領域を再生する。この場合には、上記ステップ８１５では、第２の秘密鍵情報ｋ２を取得できたか否かを判断する。そして、上記ステップ８１９では、第２の秘密鍵を用いて、バッファＲＡＭ３４に格納されている再生データを復号する。
【０１４５】
なお、上記実施形態では、光ディスク１５が、ＤＶＤ＋Ｒ  ＤＬの規格に準拠した情報記録媒体である場合について説明したが、これに限定されるものではなく、例えばＤＶＤ−Ｒの規格に準拠した多層ディスクであっても良い。この場合に、前記各秘密鍵情報及び対応情報Ｒの少なくとも一方を、製造時にランドプリピット情報として光ディスク１５に記録しても良い。また、ＣＤの規格に準拠した多層ディスクであっても良い。さらに、書き換え可能な多層ディスクであっても良い。
【０１４６】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約４０５ｎｍの光束を発光する半導体レーザ、波長が約６６０ｎｍの光束を発光する半導体レーザ及び波長が約７８０ｎｍの光束を発光する半導体レーザの少なくとも１つを含んでいても良い。すなわち、光ディスク装置が互いに異なる規格に準拠した複数種類の光ディスクに対応する光ディスク装置であっても良い。この場合に、少なくともいずれかの光ディスクが多層ディスクであっても良い。
【０１４７】
また、上記実施形態では、前記インターフェース３８がＡＴＡＰＩの規格に準拠する場合について説明したが、これに限らず、例えばＡＴＡ（AT Attachment）、ＳＣＳＩ（Small Computer System Interface）、ＵＳＢ（Universal Serial Bus）１．０、ＵＳＢ２．０、ＩＥＥＥ１３９４、ＩＥＥＥ８０２．３、ＩＥＥＥ８０２．１１、シリアルＡＴＡ及びシリアルＡＴＡＰＩのうちのいずれかの規格に準拠しても良い。
【産業上の利用可能性】
【０１４８】
以上説明したように、本発明の記録方法、情報記録装置及び情報処理装置によれば、多層情報記録媒体に記録されるデータの不正アクセスに対する安全性を向上させるのに適している。また、本発明の多層情報記録媒体によれば、記録されるデータの不正アクセスに対する安全性を向上させるのに適している。また、本発明の再生方法、情報再生装置及び情報処理装置によれば、本発明の多層情報記録媒体に記録されているデータを再生するのに適している。また、本発明のプログラム及び記憶媒体によれば、情報処理装置に、多層情報記録媒体に記録されるデータの不正アクセスに対する安全性を向上させるのに適している。また、本発明のプログラム及び記憶媒体によれば、情報処理装置に、本発明の多層情報記録媒体に記録されているデータを再生させるのに適している。
【図面の簡単な説明】
【０１４９】
【図１】本発明の一実施形態に係る情報処理装置としてのパソコンの構成を示すブロック図である。
【図２】図１における光ディスク装置の構成を示すブロック図である。
【図３】片面２層ディスクを説明するための図である。
【図４】図２の片面２層ディスクにおけるディスクレイアウトを説明するための図である。
【図５】図１のパソコンにおける復号情報の記録処理を説明するためのフローチャートである。
【図６】図６（Ａ）〜図６（Ｃ）は、それぞれ図５の復号情報の記録処理を説明するための図である。
【図７】図１のパソコンにおけるユーザデータの記録処理を説明するためのフローチャートである。
【図８】図８（Ａ）及び図８（Ｂ）は、それぞれ図７のユーザデータの記録処理を説明するための図である。
【図９】図１のパソコンにおけるユーザデータの再生処理を説明するためのフローチャートである。
【図１０】図１０（Ａ）及び図１０（Ｂ）は、それぞれ復号情報の記録処理の変形例１を説明するための図である。
【図１１】復号情報の記録処理の変形例２を説明するための図である。
【図１２】復号情報の記録処理の変形例３を説明するための図である。
【図１３】復号情報の記録処理の変形例４を説明するための図である。
【図１４】片面３層ディスクを説明するための図である。
【図１５】片面３層ディスクの場合における復号情報の記録処理を説明するための図である。
【図１６】情報記録装置としての光ディスク装置における復号情報の記録処理を説明するためのフローチャートである。
【図１７】情報再生装置としての光ディスク装置におけるユーザデータの再生処理を説明するためのフローチャートである。
【符号の説明】
【０１５０】
１０…パソコン（情報処理装置）、１５…光ディスク（多層情報記録媒体）、２０…光ディスク装置（記録装置、再生装置、情報記録装置、情報再生装置）、２３…光ピックアップ装置（記録手段の一部）、２４…レーザ制御回路（記録手段の一部）、２５…エンコーダ（記録手段の一部）、４０…ＣＰＵ（取得手段、再生手段）、９２…主制御装置（処理装置）、９４ａ…ハードディスク（記録媒体）、ｋ１…第１の秘密鍵情報（第１の管理情報）、ｋ２…第２の秘密鍵情報（第２の管理情報）、Ｒ…対応情報（管理情報の記録位置に関する情報）。
【図１】
2007122810.tif 000003
【図２】
2007122810.tif 000004
【図３】
2007122810.tif 000005
【図４】
2007122810.tif 000006
【図５】
2007122810.tif 000007
【図６】
2007122810.tif 000008
【図７】
2007122810.tif 000009
【図８】
2007122810.tif 000010
【図９】
2007122810.tif 000011
【図１０】
2007122810.tif 000012
【図１１】
2007122810.tif 000013
【図１２】
2007122810.tif 000014
【図１３】
2007122810.tif 000015
【図１４】
2007122810.tif 000016
【図１５】
2007122810.tif 000017
【図１６】
2007122810.tif 000018
【図１７】
2007122810.tif 000019